(57)【要約】      （修正有）【課題】ＴＤＤ方式の電力増幅器において、無駄な消費電力を抑えるようにする。【解決手段】送信データと受信データのそれぞれがＯｎ状態に相当する時間だけ電力増幅器の各機能部位を動作するようにすることで、適正な歪値を検出する。電力増幅器１００は、ＢＴＳ１０１とアンテナ１１４が接続され、電力増幅器１００のＴＤＤ基準信号生成部１１５は、Ｉ／Ｆ部１０２から送信Ｏｎ／Ｏｆｆ情報を入力し、ＴＤＤ基準タイミング信号を生成し、ＴＤＤ信号再生成回路１１６ａ〜１１６ｊに出力する。ＴＤＤ信号再生成回路１１６ａ〜１１６ｊは、ＴＤＤ基準タイミング信号から生成した各機能部位ごとのＴＤＤタイミング信号を各機能部位に出力する。各機能部位は、ＴＤＤ信号再生成回路１１６ａ〜１１６ｊからＴＤＤタイミング信号を入力し、ＴＤＤタイミング信号のＯｎ区間は動作し、ＴＤＤタイミング信号のＯｆｆ区間は動作を止める。【選択図】図１
2010074694.tif 000002
【特許請求の範囲】
【請求項１】
ＴＤＤ方式の電力増幅器であって、
送信データまたは受信データに同期しデータの有無を示すＯｎ／Ｏｆｆ情報を入力する入力手段と、
前記Ｏｎ／Ｏｆｆ情報からＯｎとＯｆｆを切り替える基準となるＴＤＤ基準タイミング信号を生成するＴＤＤ基準信号生成手段と、
前記ＴＤＤ基準タイミング信号から当該電力増幅器の各機能部位に対応したＴＤＤタイミング信号を生成するＴＤＤ信号再生成手段と、
前記各機能部位は前記ＴＤＤタイミング信号に基づいて、Ｏｎ時間のみ動作しＯｆｆ時間は動作を止める手段を備えたことを特徴とする電力増幅器。
【発明の詳細な説明】
【技術分野】
【０００１】
本発明は、ＣＤＭＡ(Code Division Multiple Access：符号分割多重接続)方式や、ＯＦＤＭ(Orthogonal Fren quency Division Multiplexing：直交周波数分割多重)方式の信号を送信する無線通信送信機器の電力増幅器における非線形歪を補償するプリディストータに関する。
【背景技術】
【０００２】
従来より、無線通信送信機器の増幅器として図３に示すような電力増幅器が使われていた。図３は、従来技術の電力増幅器の機能ブロック図を示したものである。図３に示す電力増幅器３００には、基地局装置(以下、ＢＴＳという)３０１とアンテナ３１４が接続されている。電力増幅器３００は、インターフェース(以下、Ｉ／Ｆという)部３０２、歪補償部３０３、Ｄ／Ａ変換器３０４、アップコンバータ３０５、電力増幅部３０６、方向性結合器３０７、ダウンコンバータ３０８、Ａ／Ｄ変換器３０９、ダウンコンバータ３１０、Ａ／Ｄ変換器３１１、検波部３１２、分波器(以下、ＤＵＰという)３１３の各機能部位から構成されている。
【０００３】
まず、ＢＴＳ３０１から送信される送信データを処理する機能部位について説明する。
Ｉ／Ｆ部３０２は、ＢＴＳ３０１から送信データを入力し、歪補償部３０３が処理可能となるフォーマットに送信データを変換し、変換した送信データを歪補償部３０３に出力する。歪補償部３０３は、Ｉ／Ｆ部３０２から送信データを入力すると、その送信データについて電力増幅部３０６の非線形歪を補償するための歪補償を行い、その歪補償した送信データである信号をＤ／Ａ変換器３０４に出力する。Ｄ／Ａ変換器３０４は、歪補償部３０３から歪補償した信号を入力すると、その歪補償した信号をアナログ信号に変換し、アップコンバータ３０５に出力する。アップコンバータ３０５は、Ｄ／Ａ変換器３０４からアナログ信号を入力すると、そのアナログ信号をＲＦ(Radio Frequency：高周波)信号に変換し、電力増幅部３０６に出力する。電力増幅部３０６は、アップコンバータ３０５からＲＦ信号を入力すると、そのＲＦ信号を増幅し、方向性結合器３０７に出力する。方向性結合器３０７は、電力増幅部３０６から増幅したＲＦ信号を入力すると、その増幅したＲＦ信号をＤＵＰ３１３に出力するとともに、増幅したＲＦ信号の歪検出を行うために、増幅したＲＦ信号の一部を取り出し、ダウンコンバータ３０８に戻りデータとして出力する。ダウンコンバータ３０８は、方向性結合器３０７から戻りデータを入力すると、戻りデータをサンプリング可能なＩＦ(Intermediate Frequency：中間周波数)信号に変換し、Ａ／Ｄ変換器３０９に出力する。Ａ／Ｄ変換器３０９は、ダウンコンバータ３０８からサンプリング可能なＩＦ信号を入力すると、サンプリング可能なＩＦ信号をデジタル信号に変換し、歪補償部３０３に出力する。歪補償部３０３は、方向性結合器３０７からの戻りデータでＡ／Ｄ変換器３０９によってデジタル信号に変換されたＩＦ信号に、ＦＦＴ(Fast Fourier Transform：高速フーリエ変換)処理を行い周波数領域に変換する。そして歪補償部３０３は、周波数領域において変調信号のキャリア数とその周波数領域の離調周波数から計算される相互変調歪の周波数帯の電力を歪値として算出し、この歪値が低減するようなパラメータ値を計算し設定する。ＤＵＰ３１３は、方向性結合器３０７から電力増幅部３０６で増幅したＲＦ信号を入力すると、アンテナ３１４を介して外部に送信する。
【０００４】
次に、アンテナ３１４から受信する受信データを処理する機能部位について説明する。
ＤＵＰ３１３は、アンテナ３１４から受信データを入力すると、ダウンコンバータ３１０に出力する。ダウンコンバータ３１０は、ＤＵＰ３１３から受信データを入力すると、入力した受信データをサンプリング可能なＩＦ信号に変換し、Ａ／Ｄ変換器３１１に出力する。Ａ／Ｄ変換器３１１は、ダウンコンバータ３１０からサンプリング可能なＩＦ信号を入力すると、入力したサンプリング可能なＩＦ信号をデジタル信号に変換し、検波部３１２に出力する。検波部３１２は、Ａ／Ｄ変換器３１１からデジタル信号を入力すると、入力したデジタル信号を復調し、受信データとしてＩ／Ｆ部３０２に出力する。Ｉ／Ｆ部３０２は、検波部３１２から受信データを入力すると、入力したデジタル信号をＢＴＳ３０１に送信する。
【０００５】
無線通信送信機器の電力増幅器において、増幅前の送信信号は、その希望信号帯域外の信号成分が帯域制限フィルタによって低レベルに抑えられるが、増幅器通過後の信号では非線形歪が発生して希望信号帯域外（隣接チャネル）へ信号成分が漏洩する。基地局装置においては、送信電力が高いため、このような隣接チャネルヘの漏洩電力の大きさは厳しく規定されており、このような隣接チャネル漏洩電力を削減しなければならなかった。無線通信送信機器の電力増幅器における非線形歪を補償する技術としてプリディストータに関する下記技術文献１がある。特許文献１の電力増幅器は、このような隣接チャネル漏洩電力を削減するために、増幅器出力の平均電力が変化しないように、歪補償値の振幅を一定にするためのオフセット処理を行うようにしている。
【特許文献１】特開２００７−１９７８２
【発明の開示】
【発明が解決しようとする課題】
【０００６】
しかし、特許文献１に開示された電力増幅器であっても、ＴＤＤ方式(Time Division Duplex system：時分割複信)にて送信信号が時分割送信されている場合、送信データが送信されているＯｎ区間(受信データが受信されていないＯｆｆ区間)と送信データが送信されないＯｆｆ区間(受信データが受信されているＯｎ区間)を識別することが出来ず、方向性結合器３０７からの戻りデータのＯｆｆ区間、又はＯｎ区間とＯｆｆ区間が混在するときにも、戻りデータを歪補償部３０３がサンプリングするので、適正な歪値を検出することが出来ないといった問題があった。また、従来技術の電力増幅器の送信機能は、送信データのＯｆｆ区間(受信データのＯｎ区間)に相当する時間も動作し、更に電力増幅器の受信機能は、受信データのＯｆｆ区間(送信データのＯｎ区間)に相当する時間も動作するので、無駄な電力を消費していた。
【０００７】
本発明はこのような状況に鑑みてなされたものであり、上記課題を解決できる電力増幅器のプリディストータを提供することを目的とする。
【課題を解決するための手段】
【０００８】
本発明のＴＤＤ方式の電力増幅器は、送信データまたは受信データに同期しデータの有無を示すＯｎ／Ｏｆｆ情報を入力する入力手段と、前記Ｏｎ／Ｏｆｆ情報からＯｎとＯｆｆを切り替える基準となるＴＤＤ基準タイミング信号を生成するＴＤＤ基準信号生成手段と、前記ＴＤＤ基準タイミング信号から当該電力増幅器の各機能部位に対応したＴＤＤタイミング信号を生成するＴＤＤ信号再生成手段と、前記各機能部位は前記ＴＤＤタイミング信号に基づいて、Ｏｎ時間のみ動作しＯｆｆ時間は動作を止める手段を備えたことを特徴としている。
【発明の効果】
【０００９】
本発明の電力増幅器は、送信データと受信データのそれぞれがＯｎ状態に相当する時間だけ電力増幅器の各機能部位を動作するようにすることで、適正な歪値を検出し無駄な消費電力を抑えるようにすることができる。
【発明を実施するための最良の形態】
【００１０】
以下、ＴＤＤ方式にて送信と受信に同じ周波数を使用してこの周波数を時間軸で分割し、送信と受信を高速で切り替えて見かけ上の同時送受信を実現する無線通信送信機器における、本発明の電力増幅器の実施形態について図面を参照して説明する。
【００１１】
（実施の形態）
図１は、本発明の実施形態に係わる電力増幅器の機能部位を示す機能ブロック図である。図１に示す電力増幅器１００の各機能部位について説明する。電力増幅器１００には、基地局装置(以下、ＢＴＳという)１０１とアンテナ１１４が接続されている。電力増幅器１００は、インターフェース（以下、Ｉ／Ｆという）部１０２、歪補償部１０３、Ｄ／Ａ変換器１０４、アップコンバータ１０５、電力増幅部１０６、方向性結合器１０７、ダウンコンバータ１０８、Ａ／Ｄ変換器１０９、ダウンコンバータ１１０、Ａ／Ｄ変換器１１１、検波部１１２、ＴＤＤ基準信号生成部１１５、ＴＤＤ信号再生成回路１１６ａ〜１１６ｊ、送受信切替スイッチ(以下、ＳＷという)１１７から構成されている。図１に示す本発明の実施形態に係わる電力増幅器１００は、図３に示す従来技術における一実施形態に係わる電力増幅器と比べると、ＴＤＤ基準信号生成部１１５とＴＤＤ信号再生成回路１１６ａ〜１１６ｊが新たに設けられ、ＤＵＰ３１３がＳＷ１１７に置き換えられている。
【００１２】
まず、ＢＴＳ１０１から送信される送信データを処理する機能部位について説明する。
Ｉ／Ｆ部１０２は、ＢＴＳ１０１から送信データを入力し、歪補償部１０３が処理可能となるフォーマットに送信データを変換し、変換した送信データを歪補償部１０３に出力する。歪補償部１０３は、Ｉ／Ｆ部１０２から送信データを入力すると、その送信データについて電力増幅部１０６の非線形歪を補償するための歪補償を行い、その歪補償した送信データである信号をＤ／Ａ変換器１０４に出力する。Ｄ／Ａ変換器１０４は、歪補償部１０３から歪補償した信号を入力すると、その歪補償した信号をアナログ信号に変換し、アップコンバータ１０５に出力する。アップコンバータ１０５は、Ｄ／Ａ変換器１０４からアナログ信号を入力すると、そのアナログ信号をＲＦ(Radio Frequency：高周波)信号に変換し、電力増幅部１０６に出力する。電力増幅部１０６は、アップコンバータ１０５からＲＦ信号を入力すると、そのＲＦ信号を増幅し、方向性結合器１０７に出力する。方向性結合器１０７は、電力増幅部１０６から増幅したＲＦ信号を入力すると、その増幅したＲＦ信号をＳＷ１１７に出力するとともに、増幅したＲＦ信号の歪検出を行うために、増幅したＲＦ信号の一部を取り出し、ダウンコンバータ１０８に戻りデータとして出力する。ダウンコンバータ１０８は、方向性結合器１０７から戻りデータを入力すると、戻りデータをサンプリング可能なＩＦ(Intermediate Frequency：中間周波数)信号に変換し、Ａ／Ｄ変換器１０９に出力する。Ａ／Ｄ変換器１０９は、ダウンコンバータ１０８からサンプリング可能なＩＦ信号を入力すると、サンプリング可能なＩＦ信号をデジタル信号に変換し、歪補償部１０３に出力する。歪補償部１０３は、方向性結合器１０７からの戻りデータでＡ／Ｄ変換器１０９によってデジタル信号に変換されたＩＦ信号に、ＦＦＴ(Fast Fourier Transform：高速フーリエ変換)処理を行い周波数領域に変換する。そして歪補償部１０３は、周波数領域において変調信号のキャリア数とその周波数領域の離調周波数から計算される相互変調歪の周波数帯の電力を歪値として算出し、この歪値が低減するようなパラメータ値を計算し設定する。ＳＷ１１７は、ＳＷが送信側(方向性結合器１０７側)に切り替わっているときは、方向性結合器１０７から増幅したＲＦ信号を入力すると、アンテナ１１４を介して外部に送信する。
【００１３】
次に、アンテナ１１４から受信する受信データを処理する機能部位について説明する。
ＳＷ１１７は、ＳＷが受信側(ダウンコンバータ１１０側)に切り替わっているときは、アンテナ１１４から受信データを入力すると、ダウンコンバータ１１０に出力する。ダウンコンバータ１１０は、ＳＷ１１７から受信データを入力すると、入力した受信データをサンプリング可能なＩＦ信号に変換し、Ａ／Ｄ変換器１１１に出力する。Ａ／Ｄ変換器１１１は、ダウンコンバータ１１０からサンプリング可能なＩＦ信号を入力すると、入力したサンプリング可能なＩＦ信号をデジタル信号に変換し、検波部１１２に出力する。検波部１１２は、Ａ／Ｄ変換器１１１からデジタル信号を入力すると、入力したデジタル信号を復調し、受信データとしてＩ／Ｆ部１０２に出力する。Ｉ／Ｆ部１０２は、検波部１１２から受信データを入力すると、入力したデジタル信号をＢＴＳ１０１に送信する。
【００１４】
次に、送信データ有りを示すＯｎと送信データ無しを示すＯｆｆの情報(以下、送信Ｏｎ／Ｏｆｆ情報という)を処理する機能部位について説明する。
Ｉ／Ｆ部１０２は、ＢＴＳ１０１から送信される送信データに同期した送信Ｏｎ／Ｏｆｆ情報を入力し、この送信Ｏｎ／Ｏｆｆ情報をＴＤＤ基準信号生成部１１５に出力する。Ｉ／Ｆ部１０２がＴＤＤ基準信号生成部１１５に出力する送信Ｏｎ／Ｏｆｆ情報は、送信データのＯｎとＯｆｆを示すタイミング信号、またはタイミング信号を生成するためのパラメータ情報のどちらでもよい。ＴＤＤ基準信号生成部１１５は、Ｉ／Ｆ部１０２から送信Ｏｎ／Ｏｆｆ情報を入力すると、送信Ｏｎ／Ｏｆｆ情報からＴＤＤ方式によって送信データのＯｎとＯｆｆを切り替える基準となるタイミング信号(以下、ＴＤＤ基準タイミング信号という)を生成し、ＴＤＤ信号再生成回路１１６ａ〜１１６ｊに出力する。
【００１５】
ＴＤＤ信号再生成回路１１６ａ〜１１６ｊは、ＴＤＤ基準信号生成部１１５からＴＤＤ基準タイミング信号を入力すると、ＴＤＤ信号再生成回路１１６ａから歪補償部１０３、ＴＤＤ信号再生成回路１１６ｂからＤ／Ａ変換器１０４、ＴＤＤ信号再生成回路１１６ｃからアップコンバータ１０５、ＴＤＤ信号再生成回路１１６ｄから電力増幅部１０６、ＴＤＤ信号再生成回路１１６ｅからダウンコンバータ１０８、ＴＤＤ信号再生成回路１１６ｆからＡ／Ｄ変換器１０９、ＴＤＤ信号再生成回路１１６ｇからダウンコンバータ１１０、ＴＤＤ信号再生成回路１１６ｈからＡ／Ｄ変換器１１１、ＴＤＤ信号再生成回路１１６ｉから検波部１１２、ＴＤＤ信号再生成回路１１６ｊからＳＷ１１７に、ＴＤＤ基準タイミング信号から生成した各機能ごとのＴＤＤ方式によるＯｎとＯｆｆを切り替えるタイミング信号(以下、ＴＤＤタイミング信号という)を出力する。ＴＤＤ信号再生成回路１１６ａ〜１１６ｊがＴＤＤ基準タイミング信号から各機能部位のＴＤＤタイミング信号を生成する処理手順については、後述する。
【００１６】
歪補償部１０３、Ｄ／Ａ変換器１０４、アップコンバータ１０５、電力増幅部１０６、ダウンコンバータ１０８、Ａ／Ｄ変換器１０９、ダウンコンバータ１１０、Ａ／Ｄ変換器１１１、検波部１１２、ＳＷ１１７は、ＴＤＤ信号再生成回路１１６ｇ〜１１６ｊからＴＤＤタイミング信号を入力し、ＴＤＤタイミング信号のＯｎ区間は動作し、ＴＤＤタイミング信号のＯｆｆ区間は動作を止める。このように各機能部位ごとにＴＤＤタイミング信号を設定することができるので、各機能部位ごとに効果的な動作が可能となる。例えば、電力増幅部１０６は、送信データのＯｎのタイミングで動作を始めても、立ち上がり安定するまでに時間が掛かるので、実際の送信データのＯｎ区間より前で立ち上げることにより、送信データが来るまでに安定動作可能な状態とすることができる。また、歪補償部１０３では、方向性結合部１０７からの戻りデータのタイミングに合わせるために、歪補償部１０３、Ｄ／Ａ変換部１０４、アップコンバータ１０５、電力増幅部１０６、ダウンコンバータ１０８、Ａ／Ｄ変換器１０９の遅延を考慮して、歪値が低減するようにＯｎ区間を設定することで効果的に歪補償を行うことができる。
【００１７】
図２は、本発明の実施の形態に係わるＴＤＤ信号再生回路の処理手順を示す図である。以下、図２に示すＴＤＤ基準タイミング信号から各機能部位のＴＤＤタイミング信号を生成する処理手順について説明する。
【００１８】
ＴＤＤ信号再生成回路１１６ａ〜１１６ｊ(以下、ＴＤＤ信号再生回路１１６として説明)は、ＴＤＤ基準信号生成部１１５からＴＤＤ基準タイミング信号が出力されると、ＴＤＤタイミング信号の生成を開始する。
【００１９】
ＴＤＤ基準タイミング信号入力部２０１は、ＴＤＤ基準信号生成部１１５からＴＤＤ基準タイミング信号を入力し、立ち上がり検出部２０２に出力する。
【００２０】
立ち上がり検出部２０２は、ＴＤＤ基準タイミング信号入力部２０１からＴＤＤ基準タイミング信号を入力し、ＴＤＤ基準タイミング信号の立ち上がり点(ＯｆｆからＯｎに変化するポイント)を検出する。そして、ＴＤＤ基準タイミング信号の立ち上がり点に基づいてパルス信号を生成し、データの先頭を決める。例えば、図２（ａ）に示すＴＤＤ基準タイミング信号から立ち上がり点を検出し、図２（ｂ）に示すパルス信号を生成する。
【００２１】
カウンタ２０３は、ＴＤＤ基準タイミング信号の１フレーム(１周期)分のデータをカウントする。Ｍａｘ値判定部２０４は、カウンタ２０３のカウント値と、予め１フレーム(１周期)分に相当するカウント数が設定されているＭａｘ値とを比較して、カウンタ２０３が１フレーム分をカウントしたかを判断する。カウンタ２０３のカウントは、ＴＤＤ基準タイミング信号と同期させるために、立ち上がり検出部２０２が生成するパルス信号に基づいてクリアされる。例えば、図２（ｂ）に示すように、１フレーム(１周期)分のデータをカウントし、カウンタ２０３はカウントのＭａｘ値でカウントを止め、そしてカウンタ２０３のカウントは立ち上がり検出部２０２のパルスが出力されたタイミングでクリアされる。
【００２２】
ＴＤＤ Ｏｆｆタイミング比較部２０５は、図２（ｃ）に示すようにＴＤＤ基準タイミング信号がＯｆｆからＯｎになる地点(時間)をスタートとしてＴＤＤタイミング信号をＯｎとして、ＴＤＤタイミング信号をＯｆｆするまでの区間が設定されているＴＤＤ Ｏｆｆタイミング位置設定パラメータを入力する。そして、ＴＤＤ Ｏｆｆタイミング比較部２０５は、ＴＤＤ Ｏｆｆタイミング位置設定パラメータとカウンタ２０３のカウンタ値の比較を行い、一致した時点がＴＤＤ Ｏｆｆタイミングとする。例えば、ＴＤＤ Ｏｆｆタイミング区間を長くするには、実際の送信データのＯｎ区間の時間より長い時間をＴＤＤ Ｏｆｆタイミング位置設定パラメータに設定する。
【００２３】
ＴＤＤ Ｏｎタイミング比較部２０６は、図２（ｄ）に示すようにＴＤＤ基準タイミング信号がＯｆｆからＯｎになる地点(時間)をスタートとしてＴＤＤタイミング信号が前記ＴＤＤ Ｏｆｆタイミング比較部２０５によって設定されたＴＤＤ Ｏｎ区間、ＴＤＤ Ｏｆｆ区間を経て、再びＯｎとなるまでのＴＤＤ Ｏｎタイミング区間が設定されているＴＤＤ Ｏｎタイミング位置設定パラメータを入力する。そして、ＴＤＤ Ｏｎタイミング比較部２０６は、ＴＤＤ Ｏｎタイミング位置設定パラメータとカウンタ２０３のカウンタ値の比較を行い、一致した時点がＴＤＤ Ｏｎタイミングとする。ＴＤＤ Ｏｎタイミング位置設定パラメータの設定可能な最大値は、１フレームのカウント値(カウントのＭａｘ値)である。例えば、ＴＤＤ基準タイミング信号より手前で早めにＯｎするときには、「ＴＤＤ Ｏｎタイミング位置設定パラメータが設定可能な最大値−前倒し時間のカウント数」をＴＤＤ Ｏｎタイミング位置設定パラメータに設定する。また、ＴＤＤ基準タイミング信号を遅延させてＯｎするときには、「遅延時間分を加算したカウント数」をＴＤＤ Ｏｎタイミング位置設定パラメータに設定する。
機能部によってはＴＤＤ Ｏｎ／Ｏｆｆの遷移時間に追従出来ないデバイスもある為、ＴＤＤモード設定パラメータによって、ＴＤＤタイミング信号出力部２０７は常にＴＤＤ Ｏｎ状態とする機能を備える。また、常にＴＤＤ Ｏｆｆ状態とする機能部が必要となるかもしれないので、常にＴＤＤ Ｏｆｆとする機能も備えている。
【００２４】
ＴＤＤタイミング信号出力部２０７は、ＴＤＤ Ｏｆｆタイミング比較部２０５で生成したＴＤＤ ＯｆｆタイミングとＴＤＤ Ｏｎタイミング比較部２０６で生成したＴＤＤ Ｏｎタイミングを各機能部位に出力する。例えば、図２（ｅ）に示すような基準タイミングが調整されたＴＤＤタイミング信号が該当する機能部位に出力される。また、ＴＤＤ Ｏｎ／Ｏｆｆの遷移時間に追従出来ないデバイスについては、ＴＤＤタイミング信号出力部２０７は常にＴＤＤ Ｏｎ、または常にＴＤＤ Ｏｆｆを該当する機能部位に出力する。
【００２５】
図２に示す本発明の実施形態のＴＤＤ信号再生成回路１１６は、１つの例にすぎず、ＴＤＤ基準タイミング信号から再度調整したＴＤＤタイミング信号を生成することが可能であれば、回路構成は問わず、例えばＴＤＤ基準タイミング信号を単に遅延させるような調整をする回路でもよい。また、本発明の実施形態では送信データがＯｎとなるＴＤＤ基準タイミング信号の立ち上がりを検出し、ＴＤＤタイミング信号を再生成しているが、送信データがＯｆｆとなるＴＤＤ基準タイミング信号の立ち下がりを検出し、ＴＤＤタイミング信号を再生成してもよい。また、送信データではなく、受信データ有りを示すＯｎと受信データ無しを示すＯｆｆの情報である受信Ｏｎ／Ｏｆｆ情報に基づいてＴＤＤ基準タイミング信号を生成し、そしてこのＴＤＤ基準タイミング信号からＴＤＤタイミング信号を生成してもよい。
【００２６】
図１に示す、ＴＤＤ信号再生成回路１１６からの出力であるＴＤＤタイミング信号が入力される機能部ブロック（１０３、１０４、１０５、１０６、１０８、１０９、１１０、１１１、１１２、１１７）以外にも、ＴＤＤ方式の送受信機においてTDD制御が可能な機能部には、本発明が適用可能である。
【００２７】
本発明により、ＴＤＤ基準タイミング信号からＴＤＤタイミング信号を生成することで適正な歪値の計算が可能となり、また各機能部位ごとにデータがＯｎ時間のみ動作し、Ｏｆｆ時間は動作を止めることができるので、消費電力を抑えることができる電力増幅器を提供する。
【００２８】
上記実施例で説明した電力増幅器は、電力増幅を行う通信装置一般に適用することができる。
【００２９】
以上をまとめると、本実施の形態は次のような特徴を有する。
（１） 本発明のＴＤＤ方式の電力増幅器は、送信データまたは受信データに同期しデータの有無を示すＯｎ／Ｏｆｆ情報を入力する入力手段と、前記Ｏｎ／Ｏｆｆ情報からＯｎとＯｆｆを切り替える基準となるＴＤＤ基準タイミング信号を生成するＴＤＤ基準信号生成手段と、前記ＴＤＤ基準タイミング信号から当該電力増幅器の各機能部位に対応したＴＤＤタイミング信号を生成するＴＤＤ信号再生成手段と、各機能部位は前記ＴＤＤタイミング信号に基づいて、Ｏｎ時間のみ動作しＯｆｆ時間は動作を止める手段を備えたことを特徴としている。
（２） (１)のＴＤＤ信号再生成手段は、各機能部位ごとに設けられていることを特徴としている。
（３） (１)から(２)のＴＤＤ信号再生成手段は、ＴＤＤ Ｏｆｆタイミング位置を設定するＴＤＤ Ｏｆｆタイミング位置設定手段と、ＴＤＤ Ｏｎタイミング位置を設定するＴＤＤ Ｏｎタイミング位置設定手段と、を備え、前記ＴＤＤ Ｏｆｆタイミング位置と前記ＴＤＤ Ｏｎタイミング位置と前記ＴＤＤ基準タイミング信号に基づいてＴＤＤタイミング信号を生成することを特徴としている。
（４） (１)から(３)のＴＤＤ Ｏｆｆタイミング位置設定手段とＴＤＤ Ｏｎタイミング位置設定手段は、前記各機能部位ごとにＴＤＤ Ｏｆｆタイミング位置とＴＤＤ Ｏｎタイミング位置を設定することを特徴としている。
（５） 本発明のＴＤＤ方式の電力増幅器における動作方法は、送信データまたは受信データに同期しデータの有無を示すＯｎ／Ｏｆｆ情報を入力する入力工程と、前記Ｏｎ／Ｏｆｆ情報からＯｎとＯｆｆを切り替える基準となるＴＤＤ基準タイミング信号を生成するＴＤＤ基準信号生成工程と、前記ＴＤＤ基準タイミング信号から当該電力増幅器の各機能部位に対応したＴＤＤタイミング信号を生成するＴＤＤ信号再生成工程と、各機能部位は前記ＴＤＤタイミング信号に基づいて、Ｏｎ時間のみ動作しＯｆｆ時間は動作を止める工程を備えたことを特徴としている。
【産業上の利用可能性】
【００３０】
本発明は、無線通信送信機器の電力増幅器に好適であるが、無線通信送信機器の電力増幅器に限られるものではなく、通信装置一般に適用可能である。
【図面の簡単な説明】
【００３１】
【図１】本発明の実施の形態に係わる電力増幅器の機能部位を示す機能ブロック図である。
【図２】本発明の実施の形態に係わるＴＤＤ信号再生成回路の処理手順を示す図である。
【図３】従来技術の一実施形態に係わる電力増幅器の機能部位を示す機能ブロック図である。
【符号の説明】
【００３２】
１００・・・・・・・・電力増幅器
１０１・・・・・・・・ＢＴＳ(基地局装置)
１０２・・・・・・・・Ｉ／Ｆ(インターフェース)部
１０３・・・・・・・・歪補償部
１０４・・・・・・・・Ｄ／Ａ変換器
１０５・・・・・・・・アップコンバータ
１０６・・・・・・・・電力増幅部
１０７・・・・・・・・方向性結合器
１０８・・・・・・・・ダウンコンバータ
１０９・・・・・・・・Ａ／Ｄ変換器
１１０・・・・・・・・ダウンコンバータ
１１１・・・・・・・・Ａ／Ｄ変換器
１１２・・・・・・・・検波部
１１４・・・・・・・・アンテナ
１１６ａ〜１１６ｊ・・ＴＤＤ信号再生成回路
１１７・・・・・・・・送受信切替スイッチ(ＳＷ)
２０１・・・・・・・・ＴＤＤ基準タイミング信号入力
２０２・・・・・・・・立ち上がり検出
２０３・・・・・・・・カウンタ
２０４・・・・・・・・Ｍａｘ値判定
２０５・・・・・・・・ＴＤＤ Ｏｆｆタイミング比較
２０６・・・・・・・・ＴＤＤ Ｏｎタイミング比較
２０７・・・・・・・・ＴＤＤタイミング信号出力
３００・・・・・・・・電力増幅器
３０１・・・・・・・・ＢＴＳ(基地局装置)
３０２・・・・・・・・Ｉ／Ｆ(インターフェース)部
３０３・・・・・・・・歪補償部
３０４・・・・・・・・Ｄ／Ａ変換器
３０５・・・・・・・・アップコンバータ
３０６・・・・・・・・電力増幅部
３０７・・・・・・・・方向性結合器
３０８・・・・・・・・ダウンコンバータ
３０９・・・・・・・・Ａ／Ｄ変換器
３１０・・・・・・・・ダウンコンバータ
３１１・・・・・・・・Ａ／Ｄ変換器
３１２・・・・・・・・検波部
３１３・・・・・・・・ＤＵＰ
３１４・・・・・・・・アンテナ
【図１】
2010074694.tif 000003
【図２】
2010074694.tif 000004
【図３】
2010074694.tif 000005